(57)【要約】【課題】ジョブを正確に識別し、ジョブごとの描画処理を的確に行う。【解決手段】ＰＣ１とＭＦＰ２とを備えた画像形成システムであって、ＰＣ１は、印刷データを生成する印刷データ生成部１１１と、印刷データの構成情報として使用されることがない情報を、その印刷データに含まれるジョブの終端にターミネータとして付加するフィルタ部１１２と、このターミネータＴが付加された複数のジョブからなる印刷データを送信する送信部１２と、を備え、ＭＦＰ２は、ＰＣ１から印刷データを受信する受信部２１と、受信した印刷データからターミネータＴを検知するフィルタ終端検知部２２１と、その終端にターミネータＴが付加されたジョブを抽出するジョブ抽出手段２２２１と、ジョブごとに描画処理を行う描画処理手段２２４，２２７と、を備える構成としてある。【選択図】図１
2013003965.tif 000002
【特許請求の範囲】
【請求項１】
印刷データを生成する情報処理装置と、生成された印刷データの描画処理を行う画像形成装置と、を備えた画像形成システムであって、
前記情報処理装置は、
印刷データを生成する印刷データ生成手段と、
前記印刷データの構成情報として使用されることがない情報を、前記印刷データに含まれるジョブの終端に終端情報として付加する終端情報付加手段と、
前記終端情報が付加された複数のジョブからなる印刷データを送信する印刷データ送信手段と、を備え、
前記画像形成装置は、
前記情報処理装置から印刷データを受信する印刷データ受信手段と、
受信した前記印刷データから前記終端情報を検知する終端情報検知手段と、
終端に前記終端情報が付加されたジョブを抽出するジョブ抽出手段と、
前記ジョブごとに描画処理を行う描画処理手段と、を備えることを特徴とする画像形成システム。
【請求項２】
印刷データの描画処理を行う画像形成装置であって、
前記印刷データの構成情報として使用されることがない情報が、その終端に終端情報として付加された複数のジョブからなる印刷データを受信する印刷データ受信手段と、
受信した前記印刷データから前記終端情報を検知する終端情報検知手段と、
終端に前記終端情報が付加されたジョブを抽出するジョブ抽出手段と、
前記ジョブごとに描画処理を行う描画処理手段と、を備えることを特徴とする画像形成装置。
【請求項３】
前記抽出されたジョブが特定の印刷データに係るジョブか否かを判断するジョブ判別手段を備え、
前記描画処理手段は、前記特定の印刷データに係るジョブとそれ以外のジョブに分けて描画処理を行う請求項２記載の画像形成装置。
【請求項４】
前記印刷データ受信手段は、
一定の文字コードによって変換された印刷データに含まれる複数のジョブの終端に、前記文字コード以外の情報が前記終端情報として付加された印刷データを受信し、
前記終端情報検知手段は、
受信した前記印刷データから前記終端情報を検知し、
前記ジョブ抽出手段は、
終端に前記終端情報が付加されたジョブを抽出する請求項２又は３記載の画像形成装置。
【請求項５】
印刷データを生成する情報処理装置のコンピュータを、
印刷データを生成する印刷データ生成手段、
前記印刷データの構成情報として使用されることがない情報を、前記印刷データに含まれるジョブの終端に終端情報として付加する終端情報付加手段、及び
終端に前記終端情報が付加された複数のジョブからなる印刷データを送信する印刷データ送信手段、として機能させるとともに、
生成された印刷データの描画処理を行う画像形成装置のコンピュータを、
前記情報処理装置から印刷データを受信する印刷データ受信手段、
受信した前記印刷データから前記終端情報を検知する終端情報検知手段、
その終端に前記終端情報が付加された複数のジョブを抽出するジョブ抽出手段、及び
前記ジョブごとに描画処理を行う描画処理手段、として機能させるための画像形成プログラム。
【発明の詳細な説明】
【技術分野】
【０００１】
本発明は、ＰＤＦなどの電子文書ファイルの画像処理を円滑に実施する画像形成システム、画像形成装置、及び、画像形成プログラムに関する。
【背景技術】
【０００２】
従来、プリンターなどの画像形成装置においては、ユーザーの操作に応じ、印刷処理の取消し、停止・復帰、割り込み等をジョブごとに行うことがある。このため、画像形成装置には、印刷データをジョブごとに正確に識別することができる機能が要求される。
ジョブを識別するには、例えば、図７に示す印刷装置２ａのように、受信部２１ａがパケット化された印刷データを受信し、パケット解釈部Ｐが印刷データ（パケットデータ）のヘッダや識別子を解釈してジョブの開始と終了を抽出する方法（パケット方式）がある。このようにすると、受信バッファ２２３ａにおいて印刷データをジョブごとに格納することができるため、描画生成部２２４ａが、ジョブごとに描画生成処理を実施することができる。そして、中間データバッファ２２５ａにおいても、描画生成後の中間データをジョブごとに保持することができるため、印刷部２３ａは、中間データをジョブごとに印刷処理することができる（例えば、特許文献１参照）。
ところが、パケット方式は、断続的に送られてくる各パケットデータのヘッダや識別子を解釈して一のジョブを認識するのに対し、一般に広く普及しているＰＤＬ（Page  Description  Language）方式は、一又は二以上のジョブを連続的に受信するＰＤＬにもとづき描画処理を行う方式である。
このため、従来のＰＤＬ対応装置にパケット方式を採用した場合には、ジョブを識別できたとしても描画処理そのものに不具合を生じ、この不具合を解消するために大幅な改造を要する。
【０００３】
そこで、パケット方式を採用しつつ、従来のＰＤＬにも対応可能な印刷制御装置２ａ’が提案されている（例えば、特許文献２参照。）。
特許文献２に記載された印刷制御装置２ａ’は、図８に示すように、パケット解釈部Ｐを備える点においては前述の印刷装置２ａと同様である。
ただし、この印刷制御装置２ａ’によれば、判断部２２２ａがジョブの種類を判断し、ＰＤＬと判断した場合には、終端検知部２２１ａが、ジョブ制御言語の情報（以下、ＰＪＬ情報という。）に含まれるＵＥＬ（Universal  Exit  Language）を検知してＰＤＬの先頭を識別し、また、パケットデータと判断した場合には、パケット解釈部Ｐが、各ヘッダを解釈してジョブを識別するようにしている。
このように、ジョブの種類ごとに処理を分けることにより、上記問題は解消することができる。
【先行技術文献】
【特許文献】
【０００４】
【特許文献１】特開２０００−１３５８２０号公報
【特許文献２】特許第４４０１６６２号公報
【発明の概要】
【発明が解決しようとする課題】
【０００５】
ところで、近年、ホストコンピュータ等で生成されたＰＤＦ（Portable  Document  Format）、ＸＰＳ（XML  Paper  Specification）などの文書ファイル、ＴＩＦＦ（Tagged Image  File  Format）、ＪＰＥＧ（Joint  Photographic  Experts  Group）などの画像データ、ＨＴＭＬ（HyperText  Markup  Language）やＸＭＬ（Extensible  Markup  Language）などのマークアップ言語を印刷データとして処理する所謂ダイレクト印刷の利用が増加している。
ＰＤＦダイレクト印刷は、データ中に含まれる相互参照表を参照しつつ描画処理（ランダムアクセス）を行うため、ＰＤＬのように読み込んだ順に描画処理を行う印刷データとは描画処理の方式が異なる。
このため、ＰＤＬ等、通常の印刷データについては従来の描画処理プロセスにしたがって描画処理を行い、ＰＤＦダイレクト印刷に係るジョブについては、専用のメモリ領域に格納したうえで、そのメモリ領域に格納されたジョブに対しランダムアクセスを行うようにしている。
【０００６】
しかしながら、ＰＤＦのジョブを正しく識別できない場合、係るジョブの前後にある他のジョブを一連のＰＤＦジョブとしてみなして前記メモリ領域に格納する不具合が生ずる。
また、この不具合は、ＵＳＢケーブル接続等、ローカルポート接続の場合に発生することが多い。ローカルポート接続によれば、図９（ａ）に示すように、ジョブがＰＣ１から直接、連続的に配信される。図９の場合、ジョブ１→ジョブ２→ジョブ３→ジョブ４という順に配信される。このため、各ジョブ同士の間隔は十分ではなく境界が不明瞭となるからである。
この点、セッションの切れ目を利用してジョブの区別が可能なネットワーク接続の場合（図９（ｂ）参照）や、ヘッダやＰＪＬ情報を解釈してジョブの区別が可能なパケット方式やＰＤＬ方式の場合（図９（ｃ）、（ｄ）参照）と異なる。
また、ダイレクト印刷においては、本来印刷用として加工されていない原データがそのまま用いられるため、ジョブ同士を判別するための措置が講じられていないことも原因の一つとなっていた。
この結果、図１０に示すように、ローカルポート接続時において、ＰＤＦとテキストジョブが連続配信された場合には、印刷装置側ではテキストジョブをＰＤＦとして誤認識し、描画処理が中断するなどの不具合が生じていた。
【０００７】
このような問題に対し、ＰＤＬにおいて用いられるＰＪＬ情報の応用が検討された。
すなわち、ＰＤＦのジョブにＰＪＬ情報を付加する方法であり、ＰＪＬ情報に含まれるＵＥＬを用いてＰＤＦのジョブと他のジョブと区別するものである。
しかしながら、このような方法を採用しても、ＰＤＦ等、バイナリデータによって構成されるデータの場合には、データ中に偶発的にＵＥＬと同じ文字列が現れることがある。
図１１は、ＰＤＦのジョブと他のジョブ（この場合、テキストデータ１、２）とが連続して配信される場合の一例を示した図である。
この場合、テキストデータ１やテキストデータ２をＰＤＦのジョブとして誤認識し、描画処理が適切に行われない可能性がある。
つまり、ＰＪＬ情報を利用したとしてもジョブの区別を正確に行うことは期待できず、依然として問題の解消には至っていなかった。
【０００８】
本発明は、以上のような事情に鑑みなされたものであり、ジョブを正確に識別し、ジョブごとの描画処理を的確に行うことができる画像形成システム、画像形成装置及び画像形成プログラムの提供を目的とする。
【課題を解決するための手段】
【０００９】
上記目的を達成するため、本発明の画像形成システムは、印刷データを生成する情報処理装置と、生成された印刷データの描画処理を行う画像形成装置と、を備える。
情報処理装置は、印刷データを生成する印刷データ生成手段と、前記印刷データの構成情報として使用されることがない情報を、前記印刷データに含まれるジョブの終端に終端情報として付加する終端情報付加手段と、前記終端情報が付加された複数のジョブからなる印刷データを送信する印刷データ送信手段と、を備える。
画像形成装置は、情報処理装置から印刷データを受信する印刷データ受信手段と、受信した前記印刷データから前記終端情報を検知する終端情報検知手段と、終端に前記終端情報が付加されたジョブを抽出するジョブ抽出手段と、前記ジョブごとに描画処理を行う描画処理手段と、備える。
【００１０】
また、本発明の画像形成装置は、印刷データの描画処理を行う画像形成装置であって、前記印刷データの構成情報として使用されることがない情報が、その終端に終端情報として付加された複数のジョブからなる印刷データを受信する印刷データ受信手段と、受信した前記印刷データから前記終端情報を検知する終端情報検知手段と、終端に前記終端情報が付加されたジョブを抽出するジョブ抽出手段と、前記ジョブごとに描画処理を行う描画処理手段と、を備える。
【００１１】
また、本発明の画像形成プログラムは、印刷データを生成する情報処理装置のコンピュータを、印刷データを生成する印刷データ生成手段、前記印刷データの構成情報として使用されることがない情報を、前記印刷データに含まれるジョブの終端に終端情報として付加する終端情報付加手段、及び、その終端に前記終端情報が付加された複数のジョブからなる印刷データを送信する印刷データ送信手段、として機能させるとともに、生成された印刷データの描画処理を行う画像形成装置のコンピュータを、前記情報処理装置から印刷データを受信する印刷データ受信手段、受信した前記印刷データから前記終端情報を検知する終端情報検知手段、終端に前記終端情報が付加された複数のジョブを抽出するジョブ抽出手段、及び、前記ジョブごとに描画処理を行う描画処理手段、として機能させるようにしている。
【発明の効果】
【００１２】
本発明の画像形成システム、画像形成装置及び画像形成プログラムによれば、ジョブを正確に識別し、ジョブごとの描画処理を的確に行うことができる。
【図面の簡単な説明】
【００１３】
【図１】本発明の実施形態である画像形成システムの構成を示したブロック図である。
【図２】Ｂａｓｅ６４によるエンコード方式を説明するための説明図である。
【図３】本実施形態に係るジョブのデータストリームを模式的に示した図である。
【図４】本実施形態のＰＣ側における処理手順を示したフローチャートである。
【図５】本実施形態のＭＦＰ側における処理手順を示したフローチャートである。
【図６】Ｅ−ｍａｉｌシステムの概略図である。
【図７】従来のジョブの識別方法を説明するための第一の図である。
【図８】従来のジョブの識別方法を説明するための第二の図である。
【図９】ローカルポート接続及び各種態様におけるジョブのデータストリームを模式的に示した図である。
【図１０】ジョブが連続する場合のデータストリームを説明するための説明図である。
【図１１】ＰＤＦにＰＤＬを付加した場合のデータストリームを説明するための説明図である。
【発明を実施するための形態】
【００１４】
以下、本発明の実施形態について図面を参照して説明する。
図１は、本発明の実施形態に係る画像形成システムの構成を示したブロック図である。
図１に示すように、本実施形態の画像形成システムは、ＭＦＰなどの画像形成装置（以下、ＭＦＰ２という）と、パーソナルコンピュータなどの情報処理装置（以下、ＰＣ１という）とを備え、これらがＬＡＮ、ＷＡＮ等の通信回線４を介し通信可能に接続されて構成される。
すなわち、ＰＣ１で作成され、その後、送信された印刷データを、通信回線４が媒介してＭＦＰ２送り届け、ＭＦＰ２が、その印刷データにもとづき描画処理及び印刷処理を行う構成となっている。
【００１５】
（ＰＣ１）
ＰＣ１は、図１に示すように、制御部１１と送信部１２とを備える。
制御部１１は、非図示のＣＰＵ（Central  Processing  Unit）、ＲＯＭ（Read  Only  Memory）およびＲＡＭ（Random  Access  Memory）が搭載される。ＲＯＭには、ＣＰＵに、複数のジョブを生成するとともに、各ジョブの生成にあたり、その終端に終端情報（ターミネータ）を付加するためのプログラムが格納されている。
すなわち、制御部１１は、機能ブロックとして、印刷データ生成部（印刷データ生成手段）１１１及びフィルタ部（終端情報付加手段）２１２とを備え、ＣＰＵに前記プログラムを読み込ませることによって以下の処理を実行する。なお、ＲＡＭは、ＣＰＵがプログラムを実行する際の作業用メモリとして用いられる。
【００１６】
印刷データ生成部１１１は、印刷データを生成する。例えば、印刷データ生成部１１１は、予め取得又は生成した文字、図形、写真などのファイルデータをＰＤＬ又はＰＤＦに変換することによってこれらを印刷データとして生成することができる。
印刷データ生成部１１１は、生成した印刷データをフィルタ部２１２に出力する。具体的には、ＰＤＦダイレクト印刷が指定されている場合には、予め取得又は生成したＰＤＦをフィルタ部２１２に出力し、それ以外はＰＤＬをフィルタ部２１２に出力する。
【００１７】
フィルタ部１１２は、印刷データ生成部１１１から入力した印刷データを特定の文字コードにエンコードする。
本実施形態においては、Ｂａｓｅ６４を用いたエンコード方式を用いる。
例えば、図２に示すように、「テスト」という文字（印刷データ）をエンコードする場合、まず、その文字をShiftJISの文字情報に変換する。この結果、「テスト」は、「83  65  83  58  83  67」といった文字情報に変換される。次いで、これらの文字情報を２進化し、次いで、２進化後のデータを６ｂｉｔごとに区切り、さらに、６ｂｉｔのデータごとに規定のＢａｓｅ６４変換表（非図示）にしたがって変換する。この結果、図２に示すように、「テスト」は、「ｑ２ＷＤＷＩＮｎ」といった文字コードにエンコードされる。
【００１８】
また、フィルタ部１１２は、印刷データの構成情報として使用されることがない情報を、ジョブの終端に付加する。
すなわち、本実施形態の場合、Ｂａｓｅ６４の文字情報として使用されない情報を、終端情報（ターミネータ）として付加する。
Ｂａｓｅ６４は、A〜Z、a〜z、0〜9、+、/、=をエンコードに用いる文字コードとして採用しているため、フィルタ部１１２は、例えば、#、%などの単一データ、又は、これら単一データを組み合わせたものをターミネータとして付加することができる。
なお、エンコード方式は、Ｂａｓｅ６４に限定するものではなく、他のエンコード方式（タグドバイナリなど）を用いることができる。すなわち、変換の結果、特定の文字コードしか出現しなくなるものであればよく、特定の文字コード以外の情報をターミネータとして用いることができる。
送信部１２は、ターミネータが付加されたジョブを送信する。
なお、送信すべきジョブが複数ある場合には、それぞれターミネータが付されたジョブが連続的に送信される。図３は、このように、複数のジョブを含む印刷データが送信される際のデータストリームの一例を示した図である。
【００１９】
すなわち、ＰＣ１においては、図４に示すように、印刷データ生成部１１１によって生成された印刷データをフィルタ部１１２が先頭から順に読み込み、読み込んだ印刷データがジョブの終端に達するまでＳ１２及びＳ１３の処理を繰り返し行う（Ｓ１１）。つまり、フィルタ部１１２は、読み込んだ印刷データがジョブの終端に達するまでは、印刷データを順次データ変換（エンコード）し（Ｓ１２）、その都度、送信部１２が変換後の印刷データを画像形成装置２に送信する（Ｓ１３）。
印刷データの読み込みがジョブの終端に達すると、Ｓ１１〜Ｓ１４のループを抜け、即座に終端情報（ターミネータ）を送信する（Ｓ１５）。
なお、複数のジョブがある場合、先のジョブに係るターミネータの送信が終わると、即座に、対象の印刷データについて上記Ｓ１１〜Ｓ１５の処理を行うことで、それぞれターミネータが付されたジョブが連続的に送信されることとなる。
【００２０】
（ＭＦＰ２）
ＭＦＰ２は、図１に示すように、受信部（印刷データ受信手段）２１、制御部２２、及び、印刷部２３を備える。
受信部２１は、ＰＣ１から送信された印刷データを受信する。
制御部２２は、非図示のＣＰＵ（Central  Processing  Unit）、ＲＯＭ（Read  Only  Memory）およびＲＡＭ（Random  Access  Memory）が搭載され、ＲＯＭには、ＣＰＵに、受信した印刷データからターミネータを検知し、このターミネータにもとづいてジョブを識別し、係るジョブごとに印刷データの種類を判断し、印刷データの種類に応じて描画処理を行わせるためのプログラムが格納されている。
すなわち、制御部２２は、機能ブロックとして、フィルタ終端検知部（終端情報検知手段）２２１と、判断部２２２と、受信バッファ２２３と、描画生成部２２４と、中間データバッファ２２５と、格納部２２６と、描画生成部２２７とを備え、ＣＰＵに前記プログラムを読み込ませることによって以下の処理を実行する。なお、ＲＡＭは、ＣＰＵがプログラムを実行する際の作業用メモリとして用いられる。
【００２１】
フィルタ終端検知部２２１は、受信した印刷データの中からその印刷データの構成情報として使用されることがない情報を検知し、この情報を終端とするジョブを抽出する。
すなわち、フィルタ終端検知部２２１は、ＰＣ１のフィルタ部１１２によって付加されたターミネータを検知する。
このようにすると、印刷データの構成情報の一部を終端と誤って認識する問題は生じない。
例えば、Ｂａｓｅ６４に使用されていない「%」がデータ中にあればこれをターミネータとして検知するが、この「%」に限定するものではなく、Ｂａｓｅ６４として使用されていない他の情報「#」がデータ中にあればこれをターミネータとして検知する。
すなわち、「印刷データの構成情報として使用されることがない情報」を検知することで足り、固有の情報にとらわれることなく、容易にかつ精度よくターミネータを検知することができる。
【００２２】
なお、ターミネータは、送り側と受け側で必ず一致する必要はない。例えば、伝送中にターミネータの一部又は全部が欠落、破損等した場合であっても、その後のデータがエンコードの際に用いる文字コード以外の情報からなるのであれば、これをターミネータとして検知することができる。
このため、自由度が高く、また、変換コストが小さいのでパフォーマンスの低下を極力抑えることができる。
【００２３】
フィルタ終端検知部２２１は、検知したターミネータを終端とする一連のジョブを抽出する。
図５は、フィルタ終端検知部２２１における処理手順を示すフローチャートである。
図５に示すように、フィルタ終端検知部２２１は、受信部２１が受信した印刷データを先頭から順に読み込み、読み込んだ印刷データからターミネータが検出されるまでＳ２２及びＳ２３の処理を繰り返し行う（Ｓ２１）。すなわち、フィルタ終端検知部２２１は、読み込んだ印刷データからターミネータが検知されるまでは、印刷データを順次データ変換（デコード）し（Ｓ２２）、その都度、変換後の印刷データを判断部２２２に出力する（Ｓ２３）。
フィルタ終端検知部２２１は、印刷データからターミネータを検知すると、Ｓ２１〜Ｓ２４のループを抜け、終端を検知した旨の通知を判断部２２２に対して行う（Ｓ２５）。
【００２４】
判断部２２２は、受信した印刷データが特定の印刷データか否かをジョブごとに判断する。
具体的には、判断部２２２は、ジョブ抽出手段２２２１とジョブ判別手段２２２２とを備え、フィルタ終端検知部２２１から終端検知の通知を受けると、ジョブ抽出手段２２２１が、その通知を受けるまでに保持していた印刷データを一連のジョブと識別し、ジョブ判別手段２２２２が、ジョブがＰＤＦかＰＤＬかを判断する。
例えば、図３の場合、ジョブ抽出手段２２２１が、印刷データの先頭から最初のターミネータＴに至るまでの印刷データを一番目のジョブＪと識別し、ジョブ判別手段２２２２が、そのジョブＪがテキストデータであると判断する。また、最初のターミネータＴから二番目のターミネータＴに至るまでの印刷データが二番目のジョブＪとして識別され、係るジョブＪがＰＤＦであることが判断される。また、二番目のターミネータＴから三番目のターミネータＴに至るまでの印刷データが三番目のジョブＪとして識別され、係るジョブＪがテキストデータであることが判断される。
【００２５】
判断部２２２は、ジョブがＰＤＬであると判断した場合には、受信バッファ２２３にこのジョブを格納する。受信バッファ２２３に格納されたＰＤＬのジョブは、描画生成部２２４によって描画処理が行われ、中間データとして中間データバッファ２２５に格納され、所定のタイミングで印刷部２３に出力される。
一方、判断部２２２は、ジョブがＰＤＦであると判断した場合には、格納部２２６にＰＤＦを格納する。ＰＤＦのジョブ全体が格納部２２６に格納されると、描画生成部２２７がＰＤＦの構成情報である相互参照表を参照し、相互参照表の記述にしたがいランダムアクセスを行う。ランダムアクセスによる描画処理後の中間データは中間データバッファ２２５に格納され、所定のタイミングで印刷部２３に出力される。
印刷部２３は、非図示の転写ドラム等からなる印刷エンジンを備え、中間データバッファ２２５からの中間データにもとづく描画データを転写ドラムに現像し、これを印刷用紙等に転写することによって印字処理が行われる。
【００２６】
このように、本実施形態のＭＦＰ２、または、ＭＦＰ２とＰＣ１とを組み合わせてなる画像形成システムにおいては、ジョブのターミネータとして印刷データの構成情報として使用されることがない情報を用いるようにしている。
このようにすると、ターミネータを誤って検知することなく、素早く、容易にジョブを識別することができるようになる。
このため、印刷データを構成するジョブごとにその種類を判断して適切な描画処理を行うことが可能となる。
【００２７】
以上、本発明の画像形成装置について、好ましい実施形態を示して説明したが、本発明にかかる画像形成装置は、上述した実施形態に限定されるものではなく、本発明の範囲で種々の変更実施が可能であることは言うまでもない。
例えば、図６に示すように、Ｅ−ｍａｉｌの本文や添付ファイル（電子文書、画像ファイル、テキストデータ等）を印刷するうえで、メールサーバー上にあるこれらのデータにアクセスしてダウンロードしながら印刷を行うＥ−ｍａｉｌプリントに適用することができる。
すなわち、Ｅ−ｍａｉｌプリントを行う場合において、対象のファイルが複数である場合には、ファイル同士が切れ目無くダウンロードされるが、本実施形態の画像形成装置を用いることによってダウンロードした各ファイルを分離し、ファイルごとに的確な印刷処理を行うことができる。
【産業上の利用可能性】
【００２８】
本発明は、プリンター装置又はプリント機能を備えた複合機に好適に用いることができる。
【符号の説明】
【００２９】
１  ＰＣ（情報処理装置）
１１  制御部
１１１  印刷データ生成部（印刷データ生成手段）
１１２  フィルタ部（終端情報付加手段）
１２  送信部（印刷データ送信手段）
２  ＭＦＰ（画像形成装置）
２１  受信部（印刷データ受信手段）
２２  制御部
２２１  フィルタ終端検知部（終端情報検知手段）
２２２  判断部
２２２１  ジョブ抽出手段
２２２２  ジョブ判別手段
【図１】
2013003965.tif 000003
【図２】
2013003965.tif 000004
【図３】
2013003965.tif 000005
【図４】
2013003965.tif 000006
【図５】
2013003965.tif 000007
【図６】
2013003965.tif 000008
【図７】
2013003965.tif 000009
【図８】
2013003965.tif 000010
【図９】
2013003965.tif 000011
【図１０】
2013003965.tif 000012
【図１１】
2013003965.tif 000013